(57)【要約】      （修正有）【課題】幼児が、簡便に洋菓子のケーキ作りを体験でき、かつ、浴室や庭、公園等での遊技に特に適した玩具を提供する。【解決手段】扇形の柱状型の弾性体１０またはカップケーキ型の弾性体１１と、石鹸２０と、サーバー３０とにより構成する。扇形の柱状型の弾性体１０は、ショートケーキのスポンジ生地の形態を模したものであり、扇形の上面と下面、および平らな長方形の２つの側面と湾曲した長方形の側面を有する。カップケーキ型の弾性体１１は、モンブランケーキのスポンジ生地の形態を模したものである。好ましくは、さらに、絞り具、イチゴ型、栗型、板状チョコレート型またはローソク型の飾り、皿を備える。また、複数の扇形の柱状型弾性体を組合せて、略円板状にすることもできる。【選択図】図１
0003155849.tif 000002
【実用新案登録請求の範囲】
【請求項１】
扇形の柱状型またはカップケーキ型の弾性体と、石鹸と、サーバーと、を備えることを特徴とする、玩具。
【請求項２】
さらに、絞り具を備える、請求項１記載の玩具。
【請求項３】
扇形の柱状型の弾性体が複数であって、略円板状に組合せが可能である、請求項１または２記載の玩具。
【請求項４】
扇形の柱状型の弾性体が略円板状に配置された、請求項３の記載の玩具。
【請求項５】
さらに、イチゴ型、栗型、板状チョコレート型、葉型またはローソク型の飾りを備える、請求項１〜４のいずれか１項記載の玩具。
【請求項６】
さらに、皿を備える、請求項１〜５のいずれか１項記載の玩具。
【考案の詳細な説明】
【技術分野】
【０００１】
本考案は、玩具に関する。より詳しくは、本考案は、洋菓子のケーキと似た形態の玩具に関する。
【背景技術】
【０００２】
一般に、洋菓子のケーキは幼児に好まれているため、幼児にケーキ作りを体験させ、ケーキを想起させる形態を簡便に作製できる玩具には、幼児、保護者等のニーズがある、と思われる。しかしながら、このようなケーキ形態を幼児が簡便に作製することができる玩具は、いまだ販売されていない。一方、浴室で遊技可能なシャボン玉玩具は開示されているが（特許文献１）、風呂に入るのをいやがる幼児のために、より効果的と思われる、ケーキ作りを想起させる玩具は、いまだ販売されていない。
【０００３】
本考案の考案者は、上記の現状を鑑み、鋭意検討を行った結果、幼児に簡便にケーキ作りを体験させる玩具を考案した。この玩具は、浴室や庭、公園等での遊技に特に適している。本考案は、幼児の中でも約５才以上向けの玩具として、特に適している。
【先行技術文献】
【特許文献】
【０００４】
【特許文献１】特開２０００−７０５５８号公報
【考案の概要】
【考案が解決しようとする課題】
【０００５】
本考案者らは、幼児が簡便にケーキ作りを体験できる玩具を提供する。
【課題を解決するための手段】
【０００６】
本考案は、以下に示す構成によって上記課題を解決した玩具に関する。
（１）扇形の柱状型またはカップケーキ型の弾性体と、石鹸と、サーバーと、を備えることを特徴とする、玩具。
（２）さらに、絞り具を備える、上記（１）記載の玩具。
（３）扇形の柱状型の弾性体が複数あって、略円板状に組合せが可能である、上記（１）または（２）記載の玩具。
（４）扇形の柱状型の弾性体が略円板状に配置された、上記（３）の記載の玩具。
（５）さらに、イチゴ型、栗型、板状チョコレート型、葉型またはローソク型の飾りを備える、上記（１）〜（４）のいずれか記載の玩具。
（６）さらに、皿を備える、上記（１）〜（５）のいずれか記載の玩具。
【考案の効果】
【０００７】
本考案（１）によれば、弾性体の上面および／または側面に、泡立った状態の石鹸を付着させた後、サーバーで形状を整えることにより、簡便にショートケーキの形態を得ることができる。さらに、本考案（２）によれば、絞り具で星形の図形と描いたり、波状の模様を作ることができ、デコレーションケーキの形態が簡便に得られる。
【図面の簡単な説明】
【０００８】
【図１】本考案にかかる玩具の一例を説明するための図である。
【図２】ボールから、泡立てられた石鹸を絞り具に移すところを説明するための図である。
【図３】複数の扇形の柱状型弾性体１０を組合せたときの図である。
【図４】複数の扇形の柱状型弾性体１０を組合せたものの上面図である。
【図５】弾性体と、イチゴ型の飾り、葉型の飾りを組合せたときの図である。
【図６】作製したデコレーションケーキ形態のイメージ図である。
【考案を実施するための形態】
【０００９】
本考案の玩具は、扇形の柱状型またはカップケーキ型の弾性体と、石鹸と、サーバーと、を備えることを特徴とする。
【００１０】
図１は、本考案にかかる玩具の一例を説明するための図であり、本考案の玩具は、扇形の柱状型の弾性体１０またはカップケーキ型の弾性体１１と、石鹸２０と、サーバー３０と、を備える。
【００１１】
扇形の柱状型の弾性体１０は、ショートケーキのスポンジ生地の形態を模したものであり、扇形の上面と下面、および平らな長方形の２つの側面と湾曲した長方形の側面を有する。カップケーキ型の弾性体１１は、モンブランケーキのスポンジ生地の形態を模したものである。これらの弾性体としては、発泡体が好ましく、スポンジがより好ましく、ウレタンフォームが、さらに好ましい。ここで、発泡体とは、海綿状に気泡が貫通して互いに連絡している、連続気泡構造を有するものをいう。また、発泡体ではなく、ゴム等を使用することもできるが、スポンジの方が、スポンジ生地と触感および色感が似ているので、好ましい。弾性体１０の色は、スポンジ生地を想起させる観点から薄黄色が好ましい。扇形の柱状型の弾性体１０は、一片が８〜１５ｃｍ、頂角４０〜６０°で、高さが３〜７ｃｍであると、ハンドリングや、組合せたときに略円板状にしやすい観点から好ましい。カップケーキ型の弾性体１１は、直径が５〜１０ｃｍ、高さが５〜１０ｃｍが、モンブランケーキを想起させる観点から好ましい。なお、弾性体は、遊技後に石鹸の洗浄が容易なものが好ましい。
【００１２】
石鹸２０は、ケーキのクリームを想起させるためのものであり、泡を立てることができるものであればよく、固形で提供しても、泡立った状態のもので提供してもよい。石鹸２０は、遊技時に、泡立った状態で弾性体の上面および／または側面に置かれたり、塗られたりする。石鹸２０としては、例えば、幼児を対象としているため、化学合成添加物を使わない石鹸、いわゆる無添加石鹸、またはチューブ型石鹸等が好ましく、これらに発泡剤を多く含むものが、より好ましい。このような無添加石鹸としては、日本石鹸製ピュアソープ等が挙げられる。また、洗顔フォームやシェービングクリームのように泡立った状態で提供されるものも好ましい。なお、泡立った状態の石鹸は、滑らかな触感および色感を与えるようにするため、細かい泡が形成されているものが好ましい。石けん２０は、泡立った状態の色が、生クリームやバタークリームを想起させる白色であることが好ましく、また、イチゴを想起させる薄赤色、モンブランケーキを想起させる薄黄色、チョコレートケーキを想起させる薄茶色等も好ましい。また、石鹸２０にイチゴ、栗、チョコレート、バナナ等を想起させる香料を使用することも好ましい。さらに、泡立てられた石鹸に食紅色素等を加えることも可能である。
【００１３】
サーバーは、弾性体の上面および／または側面に置かれた泡立った状態の石鹸を成形できるものであればよく、ケーキサーバー、料理用へらとして市販されているもの、またはこれらを幼児向けに小さくしたものが好ましく、プラスチック製がより好ましい。このサーバーにより、泡立った状態の石鹸を弾性体に塗り付けたり、後述する略円板状に配置された扇形の柱状型の弾性体に、泡立った状態の石鹸が形成されたものを、切り分けたりすることができる。
【００１４】
玩具は、さらに、絞り具を備えることが好ましい。絞り具は、泡立てられた石鹸の絞ることができるものであればよく、図１に示すような絞り袋４０が、使い易さ、コストの観点から好ましく、また、注射器状のものも使用することができる。絞り袋４０は、一般には、ビニール製で、上部と下部が空いており、下部には内側からプラスチック製、または金属製ノズル４１を備える。このノズル４１の形状により、泡立てられた石鹸の形状を適宜選ぶことができる。モンブランケーキ向けには、細い棒状にすることが好ましい。絞り袋４０の大きさの一例は、上部が１０〜２０ｃｍ、下部が０．５〜２ｃｍ、長さが１５〜３０ｃｍである。
【００１５】
また、玩具は、さらに、イチゴ型、栗型、板状チョコレート型、葉型またはローソク型の飾りを備えることが好ましい。これらの飾りにより、市販のショートケーキやモンブランケーキの形態に近付けることができる。これらの飾りは、泡立てられた石鹸に取り付けた後に沈まないように、プラスチック、紙等の軽い材料であることが好ましい。なお、当然に、ローソク型の飾りの替わりに、ローソクそのものを使用することもできる。
【００１６】
玩具は、さらに、例えばパステルカラーの、皿を備えることが好ましい。この皿は、ケーキの形態にされた玩具を載置できるものであればよく、数は、必ずしも弾性体の数と同じでなくても構わない。皿は、プラスキック製または紙製であると、軽量になるので、好ましい。皿の直径の一例としては、１０〜１５ｃｍが挙げられる。
【００１７】
玩具は、さらに、ボールを備えることが好ましい。ボールで、例えば泡立てネットや網状のものを用いて、石鹸を泡立てることができ、またボールに泡立てられた石鹸を入れることができる。ボールは、楕円形状であると、図２に示すように、絞り具に泡立てられた石鹸を入れ易いので、好ましい。この場合、楕円の短径の一例は、５〜１０ｃｍ、長径の一例は、７〜１５ｃｍである。ボールは、皿は、プラスキック製であると、軽量になるので、好ましい。
【００１８】
扇形の柱状型弾性体１０は、図３に示すように、複数を組み合わせて、略円板状になることが好ましく、６個または８個を組み合わせたとき、略円板状になることが好ましい。図４は、複数の扇形の柱状型弾性体１０を組み合わせたものの上面図であり、例えば、扇形の柱状型弾性体１０の扇形の半径１２が１０ｃｍであるときには、弧１２は７ｃｍであると、８個の扇形の柱状型弾性体１０を組み合わせたときの扇形の柱状型弾性体１０間の間隔を約１ｃｍにすることができ、これによりこの間隔に泡立てられた石鹸が進入し、ショートケーキをサーバーで切る遊技をすることが可能となる。
【００１９】
本考案の玩具は、図５に示すように、弾性体１０とイチゴ型の飾り５１、葉型の飾り５３等と組合せて販売することが、好ましい。
【００２０】
本考案の玩具の遊技方法は、弾性体１０の上面および／または側面上に、泡立てられた石鹸２１を載置した後、サーバー３０で形状を整え、ケーキ形態を作製することを特徴とする。具体的な例としては、まず、石鹸２０をボール６０上で泡立てた後、泡立てられた石鹸２１の一部を絞り袋４０に入れる。次に、弾性体１０の上面および／または側面上に、ボール６０から残りの泡立てられた石鹸２１を載置した後、サーバー３０で形状を整え、イチゴ型の飾り５１等を載せる。さらに、絞り具４０のノズル４１形状によって、市販のケーキのように、星形や波状、あるいはモンブランケーキ型の細い棒状のもの等の種々のデコレーションを施すことができる。
【実施例１】
【００２１】
以下に、実施例により、本考案を詳細に説明するが、本考案はこれらに限定されるものではない。
【００２２】
一片が１０ｃｍ、弧が７ｃｍ、高さが５ｃｍのウレタン製スポンジを８個、市販のプラスチック製のイチゴ型飾りと葉型飾りをそれぞれ８個、炎の形のついたプラスチック製ローソク飾りを８本用意した。日本石鹸製ピュアソープをお湯に溶かして、泡立った石鹸を作製した。市販の料理用絞り袋に、泡立った石鹸の約半分を入れ、略円板状に並べたウレタン製スポンジの上面および側面に残りの泡立った石鹸を載置した。プラスチック製サーバーで泡立った石鹸の凸凹を平らにして、イチゴ型飾りと葉型飾りを載せた。最後に、絞り袋から泡立った石鹸を絞り出して、デコレーションを施した後、ウレタン製スポンジの間隔にローソク飾りをたて、デコレーションケーキ形態を作製した。図６に作製したデコレーションケーキ形態のイメージ図を示す（デコレーションは省略）。３分後でもデコレーションケーキ形態は形状を維持しており、プラスチック製サーバーで、ケーキを切り分けることもできた。デコレーションケーキ形態の作製は、幼児でも行うことができ、大好評であった。
【００２３】
本考案は、上記のように、ケーキ形態を作製する玩具を提供するものである。
【符号の説明】
【００２４】
１０    扇形の柱状型の弾性体
１１    カップケーキ型の弾性体１１
２０    石鹸
２１    泡立てられた石鹸
３０    サーバー
４０    絞り袋
４１    ノズル
５１    イチゴ型の飾り
５２    栗型の飾り
５３    葉型の飾り
５４    チョコレート型の飾り
５５    ローソク型の飾り
６０    ボール
【図１】
0003155849.tif 000003
【図２】
0003155849.tif 000004
【図３】
0003155849.tif 000005
【図４】
0003155849.tif 000006
【図５】
0003155849.tif 000007
【図６】
0003155849.tif 000008